(57)【要約】【課題】  入曲リクエストを合理化する通信カラオケシステムを提供する。【解決手段】  通信カラオケ装置１２は、ＣＤ２４に記憶された情報を読み取るＣＤ読取部４０と、そのＣＤ読取部４０により読み取られる内容から演奏曲に関する情報を抽出する抽出手段１１２と、その抽出手段１１６により抽出された情報に基づいて演奏曲データベース８８にＣＤ２４を照会する照会手段１１４と、予め定められた演奏曲データベース８８の記憶内容とカラオケデータベース９０の記憶内容との関連付け情報に基づく、照会手段１１４による照会に係るＣＤ２４収録各曲に対応するカラオケ情報の有無に関する情報を取得する取得手段１１６とを、有するものであることから、ＣＤ２４に記憶された演奏曲のうち入曲リクエストの対象となり得る未だカラオケ情報として作成されていない演奏曲を迅速且つ確実に把握することができる。【選択図】  図９
2007078770.tif 000002
【特許請求の範囲】
【請求項１】
多数の演奏曲のうちから選択される所定の演奏曲を出力させると共に、通信回線を介してそれら演奏曲に関する情報を取得できる通信カラオケ装置を用いた通信カラオケシステムであって、
多数の演奏曲を識別するための情報を記憶する演奏曲データベースと、
前記通信カラオケ装置により前記演奏曲を出力させるための多数のカラオケ情報を記憶するカラオケデータベースと、
前記通信回線を介して前記演奏曲データベース及びカラオケデータベースとの間で情報の通信を行い得る通信端末装置と
を、備え、
該通信端末装置は、
所定の記憶媒体に記憶された情報を読み取る読取手段と、
該読取手段により読み取られる前記記憶媒体の記憶内容から演奏曲に関する情報を抽出する抽出手段と、
該抽出手段により抽出された演奏曲に関する情報に基づいて前記演奏曲データベースに該演奏曲を照会する照会手段と、
該照会手段による照会と同期乃至前後して、予め定められた前記演奏曲データベースの記憶内容とカラオケデータベースの記憶内容との関連付け情報に基づく、前記照会に係る演奏曲に対応するカラオケ情報の有無に関する情報を取得する取得手段と
を、有するものであることを特徴とする通信カラオケシステム。
【請求項２】
前記通信端末装置は、対応する演奏曲を指定して前記カラオケデータベースに入曲されるカラオケ情報の入曲リクエストを送信する送信手段を有し、該送信手段は、前記取得手段により前記カラオケデータベースに対応するカラオケ情報が無いという情報が取得された演奏曲のうち指定される何れかの演奏曲乃至全演奏曲を前記入曲リクエストとして送信するものである請求項１の通信カラオケシステム。
【請求項３】
前記通信端末装置は、前記通信カラオケ装置である請求項１又は２の通信カラオケシステム。
【請求項４】
前記通信端末装置は、パーソナルコンピュータである請求項１又は２の通信カラオケシステム。
【請求項５】
前記関連付け情報は、前記演奏曲データベースに記憶されたものである請求項１から４の何れかの通信カラオケシステム。
【請求項６】
前記関連付け情報は、前記カラオケデータベースに記憶されたものである請求項１から４の何れかの通信カラオケシステム。
【請求項７】
前記関連付け情報は、前記通信端末装置に記憶されたものである請求項１から４の何れかの通信カラオケシステム。
【請求項８】
前記演奏曲データベース及びカラオケデータベースは、それぞれ個別のサーバに備えられたものである請求項１から７の何れかの通信カラオケシステム。
【請求項９】
前記演奏曲データベース及びカラオケデータベースは、同一のサーバに備えられたものである請求項１から７の何れかの通信カラオケシステム。
【発明の詳細な説明】
【技術分野】
【０００１】
本発明は、通信回線を介して演奏曲に関する情報を取得できる通信カラオケ装置を用いた通信カラオケシステムに関し、特に、入曲リクエストを合理化するための改良に関する。
【背景技術】
【０００２】
多数の演奏曲のうちから選択される所定の演奏曲を出力させる音楽再生装置が知られている。例えば、カラオケボックス等で使用されるカラオケ装置がそれである。斯かるカラオケ装置によれば、予め記憶装置に記憶された多数のカラオケ演奏曲から選択された所定のカラオケ演奏曲の音楽情報を出力させると共に、そのカラオケ演奏曲の歌詞情報を含む映像をその出力に同期して画面に表示させることで、所望の歌のカラオケ演奏を楽しむことができる。
【０００３】
斯かるカラオケ装置の一態様として、通信回線を介して演奏曲に関する情報を取得できる通信カラオケ装置が実用されている。この通信カラオケ装置は、公衆電話回線等を介して所定のカラオケサービス提供会社のサーバ（センタ装置）と接続されることで、そのサーバとの間で相互に情報の遣り取りが可能とされ、新曲のカラオケ情報等が適宜ダウンロードされるようになっている。このような通信カラオケシステムでは、新しい演奏曲に対応するカラオケ情報が随時作成され、上記サーバにダウンロード可能に入曲（登録）されるようになっている。この入曲に関して、カラオケサービス提供会社は一般に、葉書やインターネットを介してユーザから入曲リクエストを受け付けているが、その入曲リクエストを行うユーザの側では、入曲を希望する演奏曲の旋律は知っているが名前はわからなかったり、既に入曲されている演奏曲を重複してリクエストしてしまったりと不具合が多かった。そこで、通信カラオケシステムによる入曲リクエストを合理化する技術が提案されている。例えば、特許文献１に記載されたカラオケ演奏装置がそれである。この技術によれば、デジタル放送の番組関連データから抽出した文字列を検索キーとしてカラオケ情報を検索し、該当する演奏曲がカラオケ情報として入曲されていない場合にはその演奏曲の情報をサーバに送信することで、合理的な入曲リクエスト受付を実現できるとされている。
【０００４】
【特許文献１】特開２００５−２１５３０４号公報
【０００５】
しかし、前記従来の技術は、デジタル放送の番組で流れた曲のリクエストを前提としており、デジタル放送受信機能を有しない一般的な通信カラオケ装置における入曲リクエストには用いることができず、汎用性がなかった。すなわち、入力リクエストを合理化する通信カラオケシステムは、未だ開発されていないのが現状である。
【発明の開示】
【発明が解決しようとする課題】
【０００６】
本発明は、以上の事情を背景として為されたものであり、その目的とするところは、入曲リクエストを合理化する通信カラオケシステムを提供することにある。
【課題を解決するための手段】
【０００７】
斯かる目的を達成するために、本発明の要旨とするところは、多数の演奏曲のうちから選択される所定の演奏曲を出力させると共に、通信回線を介してそれら演奏曲に関する情報を取得できる通信カラオケ装置を用いた通信カラオケシステムであって、多数の演奏曲を識別するための情報を記憶する演奏曲データベースと、前記通信カラオケ装置により前記演奏曲を出力させるための多数のカラオケ情報を記憶するカラオケデータベースと、前記通信回線を介して前記演奏曲データベース及びカラオケデータベースとの間で情報の通信を行い得る通信端末装置とを、備え、その通信端末装置は、所定の記憶媒体に記憶された情報を読み取る読取手段と、その読取手段により読み取られる前記記憶媒体の記憶内容から演奏曲に関する情報を抽出する抽出手段と、その抽出手段により抽出された演奏曲に関する情報に基づいて前記演奏曲データベースにその演奏曲を照会する照会手段と、その照会手段による照会と同期乃至前後して、予め定められた前記演奏曲データベースの記憶内容とカラオケデータベースの記憶内容との関連付け情報に基づく、前記照会に係る演奏曲に対応するカラオケ情報の有無に関する情報を取得する取得手段とを、有することを特徴とするものである。
【発明の効果】
【０００８】
このようにすれば、多数の演奏曲を識別するための情報を記憶する演奏曲データベースと、前記通信カラオケ装置により前記演奏曲を出力させるための多数のカラオケ情報を記憶するカラオケデータベースと、前記通信回線を介して前記演奏曲データベース及びカラオケデータベースとの間で情報の通信を行い得る通信端末装置とを、備え、その通信端末装置は、所定の記憶媒体に記憶された情報を読み取る読取手段と、その読取手段により読み取られる前記記憶媒体の記憶内容から演奏曲に関する情報を抽出する抽出手段と、その抽出手段により抽出された演奏曲に関する情報に基づいて前記演奏曲データベースにその演奏曲を照会する照会手段と、その照会手段による照会と同期乃至前後して、予め定められた前記演奏曲データベースの記憶内容とカラオケデータベースの記憶内容との関連付け情報に基づく、前記照会に係る演奏曲に対応するカラオケ情報の有無に関する情報を取得する取得手段とを、有するものであることから、前記記憶媒体に記憶された演奏曲のうち入曲リクエストの対象となり得る未だカラオケ情報として作成されていない演奏曲を迅速且つ確実に把握することができる。すなわち、入曲リクエストを合理化する通信カラオケシステムを提供することができる。
【０００９】
ここで、好適には、前記通信端末装置は、対応する演奏曲を指定して前記カラオケデータベースに入曲されるカラオケ情報の入曲リクエストを送信する送信手段を有し、その送信手段は、前記取得手段により前記カラオケデータベースに対応するカラオケ情報が無いという情報が取得された演奏曲のうち指定される何れかの演奏曲乃至全演奏曲を前記入曲リクエストとして送信するものである。このようにすれば、前記記憶媒体に記憶された演奏曲のうち入曲リクエストの対象となり得る未だカラオケ情報として作成されていない演奏曲の何れか乃至全曲を簡単に入曲リクエストできるという利点がある。
【００１０】
また、好適には、前記通信端末装置は、前記通信カラオケ装置である。このようにすれば、前記通信カラオケ装置により読み取られる記憶媒体に記憶された演奏曲のうち入曲リクエストの対象となり得る未だカラオケ情報として作成されていない演奏曲を迅速且つ確実に把握することができるという利点がある。
【００１１】
また、好適には、前記通信端末装置は、パーソナルコンピュータである。このようにすれば、パーソナルコンピュータにより読み取られる記憶媒体に記憶された演奏曲のうち入曲リクエストの対象となり得る未だカラオケ情報として作成されていない演奏曲を迅速且つ確実に把握することができるという利点がある。
【００１２】
また、好適には、前記関連付け情報は、前記演奏曲データベースに記憶されたものである。このようにすれば、前記通信端末装置により実用的な態様で前記関連付け情報を取得できるという利点がある。
【００１３】
また、好適には、前記関連付け情報は、前記カラオケデータベースに記憶されたものである。このようにすれば、前記通信端末装置により実用的な態様で前記関連付け情報を取得できるという利点がある。
【００１４】
また、好適には、前記関連付け情報は、前記通信端末装置に記憶されたものである。このようにすれば、予め前記関連付け情報を前記通信端末に記憶しておくことで、前記演奏曲データベース及びカラオケデータベースの内容を変更することなく入曲リクエストを合理化できるという利点がある。
【００１５】
また、好適には、前記演奏曲データベース及びカラオケデータベースは、それぞれ個別のサーバに備えられたものである。このようにすれば、負荷を分散させることで処理速度に優れた通信カラオケシステムを実現できるという利点がある。
【００１６】
また、好適には、前記演奏曲データベース及びカラオケデータベースは、同一のサーバに備えられたものである。このようにすれば、前記演奏曲データベース及びカラオケデータベースを一元管理することで利便性の高い通信カラオケシステムを実現できるという利点がある。
【００１７】
以下、本発明の好適な実施例を図面に基づいて詳細に説明する。
【実施例】
【００１８】
図１は、本発明の一実施例である通信カラオケシステム１０を説明する図である。この図１に示すように、本実施例の通信カラオケシステム１０は、通信端末装置である通信カラオケ装置１２と、例えばカラオケサービス提供会社が管理する情報処理装置である第１サーバ１４及び第２サーバ１６とが、通信回線２０に接続されて構成されている。この通信回線２０は、例えば公衆電話回線を用いた非対称デジタル通信回線等によるブロードバンドネットワークであり、図１に示すように、通信端末装置である一般的な家庭用パーソナルコンピュータ１８も接続され得る。これにより、上記通信回線２０を介して上記通信カラオケ装置１２、第１サーバ１４、第２サーバ１６、及びパーソナルコンピュータ１８相互間で電子的な情報の送受信が可能とされている。ここで、好適には、上記通信回線２０とは別に上記第１サーバ１４及び第２サーバ１６相互間を接続する専用回線が設けられており、その第２サーバ１６から第１サーバ１４へ直接的に情報のアップロードが可能とされている。
【００１９】
上記通信カラオケ装置１２は、例えばＣＲＴ（Cathode-Ray Tube）やＰＤＰ（Plasma Display Panel）等の映像表示機能及び音声出力機能を有する出力装置２２に有線又は無線により接続され、その出力装置２２を音声出力装置としてＣＤ（Compact Disc）２４等の記憶媒体の記憶内容である演奏パッケージに収録された複数の演奏曲を個々に出力させると共に、上記出力装置２２を映像出力装置としてその演奏曲に対応する歌詞文字映像を表示させることで、上記ＣＤ２４等に記憶された演奏曲のカラオケ演奏を可能とするものである。なお、本実施例では、演奏出力及び映像表示何れをも上記出力装置２２を介して行う態様について説明するが、映像表示のみ上記出力装置２２を介して行い、演奏出力に関しては上記通信カラオケ装置１２の処理により行う態様も考えられる。斯かる態様では、音声出力装置であるスピーカ等が以下に詳述する構成に加えて上記通信カラオケ装置１２に設けられる。
【００２０】
図２は、前記通信カラオケ装置１２の構成を説明する図である。この図２に示すように、前記通信カラオケ装置１２は、中央演算処理装置であるＣＰＵ２６と、読み出し専用メモリであるＲＯＭ２８と、随時書き込み読み出しメモリであるＲＡＭ３０と、操作パネル３２と、リモコン受信部３４と、上記ＣＤ２４を収容するためのＣＤスロット３６と、ＣＤ駆動部３８と、読取手段であるＣＤ読取部４０と、ＣＤ再生部４２と、ボーカルキャンセラ５０と、モデム５２と、ＭＩＤＩ音源５４と、演奏調整部５６と、音声入力装置であるマイクロフォン５８と、Ａ／Ｄコンバータ６０と、アンプミキサ６２と、ビデオボード６４と、上記出力装置２２に接続するためのインターフェイス６６とを、備えて構成されている。
【００２１】
上記ＣＰＵ２６は、上記ＲＡＭ３０の一時記憶機能を利用しつつ上記ＲＯＭ２８に予め記憶された所定のプログラムに基づいて電子情報を処理・制御する所謂コンピュータであり、上記ＣＤスロット３６に収容されたＣＤ２４の再生を行ったり、斯かる演奏曲の再生に同期してその演奏曲の歌詞情報に基づく歌詞文字映像（歌詞テロップ）を生成したり、それら演奏及び映像を前記出力装置２２を介して出力させたり、前記通信回線２０を介した前記第１サーバ１４や第２サーバ１６等との間の情報通信制御等の基本的な制御に加え、後述する入曲リクエスト制御を実行する。
【００２２】
前記操作パネル３２は、前記ＣＤ再生部４２やＭＩＤＩ音源５４等により再生される演奏曲の音程を調整したり、演奏と歌との音量バランスを調整したり、その他、エコー、音量、トーン等の各種演奏調整を行ったり、演奏が所望される演奏曲の選曲番号を入力する等、前記通信カラオケ装置１２によるカラオケ演奏に関する様々な操作を行うための操作ボタン（スイッチ）或いはつまみを備えた入力装置である。また、前記通信カラオケ装置１２には、前記操作パネル３２の一部機能を遠隔で実行するための入力装置として機能するリモコン装置６８が備えられており、前記リモコン受信部３４は、そのリモコン装置６８から送信されるリモコン信号を受信して前記ＣＰＵ２６へ供給する。
【００２３】
前記ＣＤ駆動部３８は、前記ＣＤスロット３６に収容されたＣＤ２４をその軸心まわりに回転させるためにスピンドル（駆動軸）を回転させるスピンドルモータを主体とするものであり、前記ＣＰＵ２６からの指令に従い所定の回転速度で前記ＣＤ２４を回転させる。また、前記ＣＤ読取部４０は、前記ＣＤ２４へレーザー光を照射すると共に反射光を受光してそのＣＤ２４の記憶内容を読み取る光学ヘッド（pick up head）と、その光学ヘッドを前記ＣＤ２４の径方向に往復駆動するスライダモータとを、備えており、記憶媒体であるＣＤ２４に記憶された情報を読み取る読取手段（読取装置）として機能する。前記ＣＤ再生部４２は、前記ＣＤ読取部４０により読み取られた演奏データに基づいて音楽を演奏（再生）する演奏手段であり、前記ＣＤ２４に収録された曲の演奏では、前記ＣＤスロット３６に収容されたＣＤ２４が前記ＣＤ駆動部３８により回転させられ、そのＣＤ２４の記憶内容である演奏データが前記ＣＤ読取部４０により読み取られて、その演奏データに基づく演奏が前記ＣＤ再生部４２により再生される。
【００２４】
前記ボーカルキャンセラ５０は、前記ＣＤ再生部４２により再生された演奏に含まれるボーカルパートを除去（キャンセル）する。具体的には、入力される音楽データの周波数帯域中央における所定の周波数帯域を除去して出力する。斯かる処理により、前記ＣＤ再生部４２により再生された演奏からオリジナルアーティストの歌唱が除かれ、楽器等の演奏音のみから成る演奏が前記ボーカルキャンセラ５０から出力される。
【００２５】
前記モデム５２は、前記通信カラオケ装置１２を前記通信回線２０に接続するための装置であり、前記ＣＰＵ２６から出力されるディジタル信号をアナログ信号に変換して前記通信回線２０に送り出すと共に、その通信回線２０を介して伝送されるアナログ信号をディジタル信号に変換して前記ＣＰＵ２６に供給する処理を行う。後述する演奏曲の照会や入曲リクエスト等は、このモデム５２を介して行われる。また、前記操作操作パネル３２やリモコン装置６８等を介して所定の選曲番号が入力された場合、前記モデム５２を介して前記第２サーバ１６からその選曲番号に対応する演奏曲のＭＩＤＩ（Musical Instrument Digital Interface）データ及び歌詞情報がダウンロードされる。前記ＭＩＤＩ音源５４は、そのようにして取得されたＭＩＤＩデータに基づいて音楽を演奏（再生）する演奏手段である。
【００２６】
前記演奏調整部５６は、前記ボーカルキャンセラ５０又はＭＩＤＩ音源５４から出力される演奏に関して種々の調整を行う。具体的には、前記操作パネル３２やリモコン装置６８等を介しての操作に応じて演奏曲の音程、音量、演奏速度、エコー、トーン等の各種調整を行う。また、前記アンプミキサ６２は、この演奏調整部５６により調整された演奏（音楽データ）と、前記Ａ／Ｄコンバータ６０を介して前記マイクロフォン５８から入力された音声情報とを合成（ミキシング）する音声合成装置であり、前記通信カラオケ装置１２によるカラオケ演奏において前記マイクロフォン５８により入力された利用者の歌唱（歌声）は、このアンプミキサ６２により前記演奏と合成され、前記インターフェイス４４を介して前記出力装置２２へ送られ、その出力装置２２におけるスピーカ等から出力される。なお、前記マイクロフォン５８は、好適には、前記通信カラオケ装置１２に着脱可能に備えられたものであり、或いは赤外線等により無線接続されるものであってもよい。
【００２７】
前記ビデオボード６４は、前記ＣＰＵ２６からの指令に応じて映像表示（描画）に関する処理を行う。具体的には、前記インターフェイス６６を介して前記出力装置２２の画面に所定の映像を表示させる。例えば、前記ＣＰＵ２６により生成された歌詞文字映像を表示させると共に、その歌詞文字映像を経時的に色替えしていく等の歌詞文字映像表示処理や、その歌詞文字映像の背面側レイヤに所定の背景映像を表示させる等の背景映像表示処理等、前記通信カラオケ装置１２によるカラオケ演奏に際しての種々の映像表示を制御する。
【００２８】
図３は、前記第１サーバ１４の構成を、図４は、前記第２サーバ１６の構成をそれぞれ説明する図である。これらの図に示すように、本実施例では、説明の便宜上、前記第１サーバ１４及び第２サーバ１６が中央演算処理装置等の要素を等しくする同一型式のサーバである態様について説明する。すなわち、前記第１サーバ１４及び第２サーバ１６は、中央演算処理装置であるＣＰＵ７０によりＲＡＭ７４の一時記憶機能を利用しつつＲＯＭ７２に予め記憶されたプログラムに従って信号処理を行う所謂マイクロコンピュータシステムを備えている。また、ＣＲＴ等の映像表示装置７６と、その映像表示装置７８による映像の表示を制御するためのＣＲＴコントローラ７８と、キーボード等の入力装置８０と、その入力装置８０による入力を処理するためのインターフェイス８２と、上記ＣＰＵ７０等を前記通信回線２０に接続するためのモデム８４と、記憶装置であるハードディスク８６とを、備えて構成されている。
【００２９】
また、図３に示すように、前記第１サーバ１４のハードディスク８６には、多数の演奏曲を識別するための情報を記憶する演奏曲データベース８８が設けられている。図５は、この演奏曲データベース８８の内容を例示する図である。この図５に示すように、上記演奏曲データベース８８は、例えば、複数の演奏曲を含む演奏パッケージを単位としてその演奏パッケージに含まれる演奏曲の情報を記憶するものである。この演奏パッケージとは、市販されているアルバムＣＤやシングルＣＤ等の記憶媒体にそれぞれ記憶された複数の演奏曲を纏まりとして称するものであり、例えば、１４曲の演奏曲「風のララバイ」、「あの日出会った君の俤」、「マイフェアリトルボーイ」、「空を越えて」、・・・を収録する、タイトル「火星着陸船」、アーティスト名（歌手名）「本庄なな美」のアルバムＣＤに関しては、タイトル「火星着陸船」で括られるそのアルバムＣＤに収録された１４曲の演奏曲が１つの演奏パッケージに該当する。上記演奏曲データベース８８には、上記演奏パッケージを識別するための情報として、例えば前記ＣＤ２４に記憶されたＴＯＣ（Table of Contents）情報が演奏パッケージと関連付けられて記憶されており、このＴＯＣ情報に加えて、その演奏パッケージのタイトル（アルバム名）、オリジナルアーティスト（歌手名）、及びトラック毎の演奏曲名が識別番号をインデックスとして記憶されている。斯かる構成により、上記演奏曲データベース８８では、上記ＴＯＣ情報に基づいて所定の演奏パッケージを照会できるように構成されている。また、上記演奏曲データベース８８に記憶される演奏パッケージは、市販されているＣＤに記憶されたものに限られず、例えば、市販されていない自主制作ＣＤに収録されたものや、ＭＯ（Magneto Optical Disk）、ＤＶＤ（Digital Versatile Disk）、その他、種々の記憶媒体に記憶された演奏パッケージが上記演奏曲データベース８８に記憶され得る。
【００３０】
また、図４に示すように、前記第２サーバ１６のハードディスク８６には、前記通信カラオケ装置１２により前記演奏曲を出力させるための多数のカラオケ情報を記憶するカラオケデータベース９０が設けられている。図６は、このカラオケデータベース９０の内容を例示する図である。この図６に示すように、上記カラオケデータベース９０には、曲名及びアーティスト名（歌手名）等を含むヘッダ情報、演奏情報であるＭＩＤＩデータ、及び歌詞情報等から成るカラオケ情報が選曲番号をインデックスとして各演奏曲毎に記憶されている。この歌詞情報とは、演奏曲の歌詞に対応するテキスト情報、歌詞の出力タイミング情報、及び色替タイミング情報等を含むものであり、上記カラオケ情報から独立した電子情報として別個（各演奏曲毎）にダウンロード可能とされている。また、上記ＭＩＤＩデータも上記カラオケ情報から独立した電子情報として別個にダウンロード可能とされている。
【００３１】
また、図４に示すように、前記第２サーバ１６のハードディスク８６には、前記カラオケデータベース９０への入曲リクエストを受け付けるための受付サイト９２が置かれている。この受付サイト９２は、ＨＴＭＬ（Hypertext Markup Language）文書や各種ＣＧ（Computer Graphics）、その他、ＦＴＰ（File Transfer Protocol）でダウンロードできる種々の情報から成る所謂ホームページ（Homepages）であり、前記通信カラオケ装置１２やパーソナルコンピュータ１８等の通信端末装置により前記通信回線２０を介してこの受付サイト９２にアクセスできるようになっている。そして、その受付サイト９２に含まれる所定の入曲リクエストページにおいて演奏曲の曲名、歌手名、収録アルバム等を指定することにより、その演奏曲について前記カラオケデータベース９０への入曲リクエストを行えるように構成されている。また、斯かる入曲リクエストは、後述する図１０のフローチャートに示すような処理によっても行われる。
【００３２】
図７は、前記演奏曲データベース８８の記憶内容とカラオケデータベース９０の記憶内容との関連付け情報を例示する図である。本実施例の通信カラオケシステム１０では、前記演奏曲データベース８８の記憶内容とカラオケデータベース９０の記憶内容とが相互に関連付けられている。例えば、図７に示す関連付け情報では、前記演奏曲データベース８８に記憶された演奏パッケージの各トラックに相当する演奏曲に、対応するカラオケ情報が有る場合にはそのカラオケ情報の選曲番号が関連付け（紐付け）られて記憶され、対応するカラオケ情報が無い場合にはその旨が記憶されるか、或いはブランクとされている。なお、通常、前記演奏曲データベース８８に記憶される演奏曲の数は、前記カラオケデータベース９０に記憶されるカラオケ情報の数よりも多いため、上記関連付け情報は前記演奏曲データベース８８の記憶内容にカラオケデータベース９０の記憶内容が従属して関連付けられるものとされる。この関連付け情報は、前記演奏曲データベース８８やカラオケデータベース９０の一部として記憶されるものであってもよいし、独立して記憶されるものであってもよい。この記憶の態様に関しては後述する。
【００３３】
図８は、前記パーソナルコンピュータ１８の構成を説明する図である。この図８に示すように、前記パーソナルコンピュータ１８は、中央演算処理装置であるＣＰＵ９４によりＲＡＭ９８の一時記憶機能を利用しつつＲＯＭ９６に予め記憶されたプログラムに従って信号処理を行う所謂マイクロコンピュータシステムを備えている。また、ＣＲＴ等の映像表示装置１００と、その映像表示装置１００による映像の表示を制御するためのＣＲＴコントローラ１０２と、キーボード等の入力装置１０４と、その入力装置１０４による入力を処理するためのインターフェイス１０６と、上記ＣＰＵ９４等を前記通信回線２０に接続するためのモデム１０８と、記憶装置であるハードディスク１１０とを、備えて構成されている。また、このパーソナルコンピュータ１８には、前述した通信カラオケ装置１２と同様に、記憶媒体であるＣＤ２４を収容するためのＣＤスロット３６と、ＣＤ駆動部３８と、読取手段であるＣＤ読取部４０とが、備えられている。これらの構成に関しては、図２を用いて前述したものと同様であるため、その説明を省略する。
【００３４】
図９は、前記通信カラオケ装置１２のＣＰＵ２６及びパーソナルコンピュータ１８のＣＰＵ９４に備えられた制御機能の要部を説明する機能ブロック線図である。なお、本実施例では、前記通信カラオケ装置１２及びパーソナルコンピュータを共に通信端末装置として用いて前記第２サーバ１６へ入曲リクエストを行う態様について説明するが、何れか一方のみにより入曲リクエストを行うものであってもよい。その場合、以下に説明する制御機能は、入曲リクエストを行う通信端末装置となる装置にのみ備えられればよい。
【００３５】
図９に示す抽出手段１１２は、前記ＣＤ２４等の記憶媒体の記憶内容から演奏曲に関する情報を抽出する。好適には、前記ＣＤ２４に記憶されたＴＯＣ（Table of Contents）情報を前記ＣＤ読取部４０により読み取り、そのＴＯＣ情報を前記ＣＤ２４に収録された演奏曲に関する情報として抽出する。このＴＯＣ情報は、前記ＣＤ２４に記憶された各演奏曲の演奏時間情報等を示す目次情報であり、市販されるＣＤでは一般に固有の値として各演奏曲を識別するための情報として用いられる。
【００３６】
照会手段１１４は、上記抽出手段１１２により抽出された演奏曲に関する情報に基づいてその情報に対応する演奏パッケージを前記通信回線２０を介して前記第１サーバ１４の演奏曲データベース８８に照会する。前記ＴＯＣ情報はＣＤ２４に収録された各演奏曲毎に定められたものであるため、演奏曲を単位として照会することもできるが、本実施例では演奏パッケージすなわちＣＤ２４全体を対象として照会する態様について説明する。すなわち、上記照会手段１１４は、好適には、上記抽出手段１１２により抽出されたＴＯＣ情報と、前記演奏曲データベース８８に記憶された各演奏パッケージのＴＯＣ情報とを比較し、それらが一致する演奏パッケージを前記演奏曲データベース８８に記憶された多数の演奏パッケージから検索する。そのようにして検索された演奏パッケージのタイトル名、アーティスト名、識別番号、及びその演奏パッケージにおける各トラックの演奏曲等の情報が照会結果として取得される。
【００３７】
取得手段１１６は、上記照会手段１１４による照会と同期乃至前後して、予め定められた前記演奏曲データベース８８の記憶内容とカラオケデータベース９０の記憶内容との関連付け情報に基づく、前記照会に係る演奏曲に対応するカラオケ情報の有無に関する情報を取得する。ここで、この取得手段１１６による関連付け情報の取得処理には、前記演奏曲データベース８８の記憶内容とカラオケデータベース９０の記憶内容との対応付けに関して幾つかの態様が考えられる。
【００３８】
先ず、第１の態様では、図７に示すような関連付け情報が前記演奏曲データベース８８の記憶内容の一部とされている。この態様においては、通信端末装置は前記第１サーバ１４との間で情報の通信を行えば足り、上記取得手段１１６は、前記照会手段１１４により照会された演奏パッケージに含まれる各演奏曲に関して、カラオケ情報の選曲番号が関連付けられているものについては対応するカラオケ情報が有るものとしてその選曲番号を取得し、関連付けられていないものに関しては対応するカラオケ情報が無いとの情報を取得する。また、この態様では、前記第２サーバ１６のカラオケデータベース９０から前記第１サーバ１４の演奏曲データベース８８へ随時新曲の選曲番号がその演奏曲と関連付けられてアップロードされ、対応する演奏曲と関連付けられて記憶される。
【００３９】
また、第２の態様では、図７に示すような関連付け情報が前記演奏曲データベース８８の記憶内容とは別に、前記第１サーバ１４のハードディスク８６等に記憶されている。この態様においても、通信端末装置は前記第１サーバ１４との間で情報の通信を行えば足り、前記取得手段１１６は、前記照会手段１１４により照会された演奏パッケージに含まれる各演奏曲に関して、別途記憶された関連付け情報を参照しつつ、カラオケ情報の選曲番号が関連付けられているものについては対応するカラオケ情報が有るものとしてその選曲番号を取得し、関連付けられていないものに関しては対応するカラオケ情報が無いとの情報を取得する。また、この態様では、随時最新の前記演奏曲データベース８８の記憶内容とカラオケデータベース９０の記憶内容との関連付け情報（対応関係）が前記第２サーバ１６から前記第１サーバ１４へアップロードされ、前記ハードディスク８６等に記憶された関連付け情報が常に最新のものとされる。
【００４０】
また、第３の態様では、図７に示すような関連付け情報が前記カラオケデータベース９０の記憶内容とは別に、前記第２サーバ１６のハードディスク８６等に記憶されている。この態様においては、通信端末装置は前記第１サーバ１４及び第２サーバ１６との間で情報の通信を行う必要があり、前記取得手段１１６は、前記第１サーバ１４との間の通信により前記照会手段１１４により照会された演奏パッケージに含まれる各演奏曲に関して、前記第２サーバ１６のハードディスク８６等に記憶された関連付け情報を参照しつつ、カラオケ情報の選曲番号が関連付けられているものについては対応するカラオケ情報が有るものとしてその選曲番号を取得し、関連付けられていないものに関しては対応するカラオケ情報が無いとの情報を取得する。また、この態様では、随時最新の前記演奏曲データベース８８の記憶内容とカラオケデータベース９０の記憶内容との対応関係が最新の関連付け情報として前記第２サーバ１６のハードディスク８６等に記憶される。
【００４１】
また、第４の態様では、図７に示すような関連付け情報が前記通信カラオケ装置１２のＲＡＭ３０又はパーソナルコンピュータ１８のハードディスク１１０等に記憶されている。この態様においては、通信端末装置は前記第１サーバ１４との間で情報の通信を行えば足り、前記取得手段１１６は、前記第１サーバ１４との間の通信により前記照会手段１１４により照会された演奏パッケージに含まれる各演奏曲に関して、前記ＲＡＭ３０又はハードディスク１１０等に記憶された関連付け情報を参照しつつ、カラオケ情報の選曲番号が関連付けられているものについては対応するカラオケ情報が有るものとしてその選曲番号を取得し、関連付けられていないものに関しては対応するカラオケ情報が無いとの情報を取得する。また、この態様では、随時最新の前記演奏曲データベース８８の記憶内容とカラオケデータベース９０の記憶内容との関連付け情報（対応関係）が前記第２サーバ１６から前記通信カラオケ装置１２又はパーソナルコンピュータ１８へアップロードされ、前記ＲＡＭ３０又はハードディスク１１０等に記憶された関連付け情報が常に最新のものとされる。
【００４２】
以上、何れの態様によっても、前記取得手段１１６は、前記照会に係るＣＤ２４に収録された全ての演奏曲について、それら演奏曲に対応するカラオケ情報が前記第２サーバ１６のカラオケデータベース９０に記憶（登録）されているか否かに関する情報を取得することができ、更に対応するカラオケ情報が有る演奏曲についてはそのカラオケ情報の選曲番号を取得することができる。また、前記通信カラオケ装置１２に備えられた取得手段１１６に関して、以下に詳述する入曲リクエストがカラオケ演奏処理の一部として行われる態様では、前記照会に係るＣＤ２４に収録された各演奏曲について、対応するカラオケ情報が前記第２サーバ１６のカラオケデータベース９０に記憶されているものについてはそのカラオケ情報を直接ダウンロードするものであってもよい。
【００４３】
また、前記通信カラオケ装置１２に備えられた取得手段１１６は、前記操作パネル３２やリモコン装置６８等による入力操作に応じて所定の演奏曲のＭＩＤＩデータ及び歌詞情報を前記通信回線２０を介して前記第２サーバ１６のカラオケデータベース９０から取得する。具体的には、前記操作パネル３２やリモコン装置６８等により所定の選曲番号が入力された場合、その選曲番号に対応する演奏曲のＭＩＤＩデータ及び歌詞情報を前記通信回線２０を介して前記第２サーバ１６のカラオケデータベース９０から取得し、前記ＲＡＭ３０等に記憶する。前記ＭＩＤＩ音源５４は、このようにして取得されたＭＩＤＩデータに基づいて前記演奏曲を出力する演奏手段であり、斯かる処理により前記通信カラオケ装置１２は、前記ＣＤ２４等の記憶媒体に記憶されていない演奏曲をもカラオケ演奏曲として出力することができる。また、本実施例の通信カラオケ装置１２において、前記ＣＤ再生部４２により再生された演奏曲は、前記ボーカルキャンセラ５０によりボーカルパートを除去された上で出力される仕様であるが、ボーカルにエコーやリバーフ等の効果がかかっている場合には十分に除去できない可能性がある。更に、前記演奏曲の周波数帯域中央付近にドラムパートが存在する場合には、前記ボーカルキャンセラ５０によりそのドラムパートまでも除去されてしまうおそれがある。斯かる場合においても前記ＭＩＤＩデータを利用する演奏は有用であり、該当する演奏曲に関してのみＭＩＤＩデータをダウンロードして前記ＣＤ２４による演奏に代えて用いることで、快適なカラオケ演奏を実現できる。
【００４４】
図９に戻って、送信手段１１８は、対応する演奏曲を指定して前記第２サーバ１６のカラオケデータベース９０に入曲（登録）されるカラオケ情報の入曲リクエストを前記第２サーバ１６へ送信する。この入曲リクエストとは、前記カラオケデータベース９０に新たに入曲されるカラオケ情報の要望すなわち未だカラオケ情報化されていない曲のカラオケ演奏曲化要求であり、好適には、前記取得手段１１６により前記カラオケデータベース９０に対応するカラオケ情報が無いという情報が取得された演奏曲のうち指定される何れかの演奏曲乃至全演奏曲を前記入曲リクエストとして前記第２サーバ１６へ送信する。例えば、前記通信カラオケ装置１２による処理において、前記照会に係るＣＤ２４に収録された各演奏曲に対応するカラオケ情報の有無に関する情報が前記取得手段１１６により取得された場合、図１０に示すような画面が前記通信カラオケ装置１２と接続された出力装置２２に表示される。この画面は、前記照会に係るＣＤ２４に収録された各演奏曲に関して、対応するカラオケ情報が有るものについてはその選曲番号を表示すると共に選曲ボタン１２０を、対応するカラオケ情報が無いものについてはカラオケ未登録である旨を表示すると共に入曲リクエストボタン１２２を表示するものであり、前記通信カラオケ装置１２の利用者は、前記操作パネル３２やリモコン装置６８等の操作により図示しないカーソルを合わせた上で所定のスイッチを操作すること等により上記選曲ボタン１２０を押すことでその選曲ボタン１２０に対応する演奏曲を選曲（予約）できると共に、上記入曲リクエストボタン１２２を押すことでその入曲リクエストボタン１２２に対応する演奏曲を入曲リクエストとして前記第２サーバ１６へ送信できるのである。
【００４５】
また、上記送信手段１１８は、前記通信カラオケ装置１２においては前記操作パネル３２やリモコン装置６８、前記パーソナルコンピュータ１８においては前記入力装置１０４を用いた入力操作（マニュアル操作）によっても前記入曲リクエストを行い得る。この態様では、先ず、前記第２サーバ１６に設けられた受付サイト９２にアクセスし、その受付サイト９２の表示に従って対象となる演奏曲の曲名、アーティスト名、及び収録アルバム等の情報の入力が行われる。この入力の形態としては所謂電子掲示板やメールフォーム等、様々なものが考えられる。また、このような前記受付サイト９２にアクセスした上での入曲リクエストに際して前記ＣＤ読取部４０により前記ＣＤ２４のＴＯＣ情報を読み出し、そのＴＯＣ情報に基づいて前記取得手段１１６によりそのＣＤ２４に対応するカラオケ情報の有無に関する情報を取得してもよい。また、この場合には、その照会に係るＣＤ２４に対応するカラオケ情報の有無に関する情報を前記受付サイト９２の一部として表示させてもよい。
【００４６】
図１１は、前記通信カラオケ装置１２のＣＰＵ２６又はパーソナルコンピュータ１８のＣＰＵ９４による入曲リクエスト制御について説明するフローチャートであり、所定の周期で繰り返し実行されるものである。
【００４７】
先ず、ステップ（以下、ステップを省略する）Ｓ１において、所定の操作が行われる等して入曲リクエストが開始されたか否かが判断される。このＳ１の判断が否定される場合には、それをもって本ルーチンが終了させられるが、Ｓ１の判断が肯定される場合には、Ｓ２において、マニュアル入力による入曲リクエストであるか否かが判断される。このＳ２の判断が肯定される場合には、Ｓ３において、前記第２サーバ１６との間で通信が行われ、その第２サーバ１６に設けられた受付サイト９２にアクセスされる。次に、Ｓ４において、前記通信カラオケ装置１２では前記操作パネル３２やリモコン装置６８、前記パーソナルコンピュータ１８では前記入力装置１０４を用いた入力操作により、対象となる演奏曲の曲名、アーティスト名、及び収録アルバム等の情報を指定しての入曲リクエストが行われた後、本ルーチンが終了させられる。Ｓ２の判断が否定される場合、すなわちマニュアル入力による入曲リクエストではないと判断される場合には、Ｓ５において、ＣＤ収録曲の入曲リクエストであるか否かが判断される。このＳ５の判断が否定される場合には、それをもって本ルーチンが終了させられるが、Ｓ５の判断が肯定される場合には、前記抽出手段１１２の動作に対応するＳ６において、前記ＣＤスロット３６に収容されたＣＤ２４に記憶されたＴＯＣ情報が前記ＣＤ読取部４０により読み取られる。次に、前記照会手段１１４の動作に対応するＳ７において、Ｓ６にて抽出されたＴＯＣ情報に基づいてそのＴＯＣ情報に対応する演奏パッケージが前記通信回線２０を介して前記第１サーバ１４の演奏曲データベース８８に照会される。次に、Ｓ８において、前記第１サーバ１４の演奏曲データベース８８から応答（照会結果）が受信されたか否かが判断される。このＳ８の判断が否定されるうちは、判断が繰り返されることにより待機させられるが、Ｓ８の判断が肯定される場合には、前記取得手段１１６の動作に対応するＳ９において、前記演奏曲データベース８８の記憶内容とカラオケデータベース９０の記憶内容との関連付け情報に基づく、前記照会に係るＣＤ２４に対応するカラオケ情報の有無に関する情報が取得される。次に、Ｓ１０において、前記第１サーバ１４の演奏曲データベース８８から受信された照会結果と、Ｓ９にて取得された前記ＣＤ２４に対応するカラオケ情報の有無に関する情報とを示す前述した図１０のような画面が、前記通信カラオケ装置１２では前記出力装置２２に、前記パーソナルコンピュータ１８では映像表示装置１００に表示される。次に、Ｓ１１において、Ｓ１０にて表示された図１０に示すような画面における入曲リクエストボタン１２２が押される等して入曲リクエストが行われたか否かが判断される。このＳ１１の判断が否定されるうちは、判断が繰り返されることにより待機させられるが、Ｓ１１の判断が肯定される場合には、前記送信手段１１８の動作に対応するＳ１２において、入曲リクエストが前記第２サーバ１６へ送信された後、本ルーチンが終了させられる。
【００４８】
このように、本実施例によれば、多数の演奏曲を識別するための情報を記憶する演奏曲データベース８８と、前記通信カラオケ装置１２により前記演奏曲を出力させるための多数のカラオケ情報を記憶するカラオケデータベース９０と、前記通信回線２０を介して前記演奏曲データベース８８及びカラオケデータベース９０との間で情報の通信を行い得る通信端末装置とを、備え、その通信端末装置は、記憶媒体であるＣＤ２４に記憶された情報を読み取る読取手段であるＣＤ読取部４０と、そのＣＤ読取部４０により読み取られる前記ＣＤ２４の記憶内容から演奏曲に関する情報を抽出する抽出手段１１２（Ｓ６）と、その抽出手段１１６により抽出された演奏曲に関する情報に基づいて前記演奏曲データベース８８にその演奏曲を照会する照会手段１１４（Ｓ７）と、その照会手段１１４による照会と同期乃至前後して、予め定められた前記演奏曲データベース８８の記憶内容とカラオケデータベース９０の記憶内容との関連付け情報に基づく、前記照会に係る演奏曲に対応するカラオケ情報の有無に関する情報を取得する取得手段１１６（Ｓ９）とを、有するものであることから、前記ＣＤ２４に記憶された演奏曲のうち入曲リクエストの対象となり得る未だカラオケ情報として作成されていない演奏曲を迅速且つ確実に把握することができる。すなわち、入曲リクエストを合理化する通信カラオケシステム１０を提供することができる。
【００４９】
また、前記通信端末装置は、対応する演奏曲を指定して前記カラオケデータベース９０に入曲されるカラオケ情報の入曲リクエストを送信する送信手段１１８（Ｓ１２）を有し、その送信手段１１８は、前記取得手段１１６により前記カラオケデータベース９０に対応するカラオケ情報が無いという情報が取得された演奏曲のうち指定される何れかの演奏曲乃至全演奏曲を前記入曲リクエストとして送信するものであるため、前記ＣＤ２４に記憶された演奏曲のうち入曲リクエストの対象となり得る未だカラオケ情報として作成されていない演奏曲の何れか乃至全曲を簡単に入曲リクエストできるという利点がある。
【００５０】
また、前記通信端末装置は、前記通信カラオケ装置１２であるため、その通信カラオケ装置１２により読み取られるＣＤ２４に記憶された演奏曲のうち入曲リクエストの対象となり得る未だカラオケ情報として作成されていない演奏曲を迅速且つ確実に把握することができるという利点がある。また、前記入曲リクエスト処理を前記通信カラオケ装置１２によるカラオケ演奏処理の一部として行うことで、前記カラオケデータベース９０にカラオケ情報が記憶されている曲についてはそのカラオケ情報を前記通信カラオケ装置１２に配信すると共に、カラオケ情報が無い曲については即時的に入曲リクエストの対象とする等、実用的な入曲リクエスト制御を実現できるという利点がある。
【００５１】
また、前記通信端末装置は、前記パーソナルコンピュータ１８であるため、そのパーソナルコンピュータ１８により読み取られるＣＤ２４に記憶された演奏曲のうち入曲リクエストの対象となり得る未だカラオケ情報として作成されていない演奏曲を迅速且つ確実に把握することができるという利点がある。
【００５２】
また、前記関連付け情報は、前記演奏曲データベース８８に記憶されたものであるため、前記通信端末装置により実用的な態様で前記関連付け情報を取得できるという利点がある。
【００５３】
また、前記関連付け情報は、前記カラオケデータベース９０に記憶されたものであるため、前記通信端末装置により実用的な態様で前記関連付け情報を取得できるという利点がある。
【００５４】
また、前記関連付け情報は、前記通信端末装置に記憶されたものであるため、予め前記関連付け情報を前記通信端末に記憶しておくことで、前記演奏曲データベース８８及びカラオケデータベース９０の内容を変更することなく入曲リクエストを合理化できるという利点がある。
【００５５】
また、前記演奏曲データベース８８及びカラオケデータベース９０は、それぞれ個別の第１サーバ１４及び第２サーバ１６に備えられたものであるため、負荷を分散させることで処理速度に優れた通信カラオケシステム１０を実現できるという利点がある。
【００５６】
以上、本発明の好適な実施例を図面に基づいて詳細に説明したが、本発明はこれに限定されるものではなく、更に別の態様においても実施される。
【００５７】
例えば、前述の実施例において、前記通信カラオケ装置１２は映像表示装置及び音声出力装置を備えておらず、前記出力装置２２に接続されることでその出力装置２２から映像及び音声を出力させるものであったが、これはあくまで簡単で実用的な構成の通信カラオケ装置１２を例示したものに過ぎず、映像表示装置及び音声出力装置を備えたカラオケ装置にも、本発明は当然に適用され得る。
【００５８】
また、前述の実施例において、前記演奏曲データベース８８及びカラオケデータベース９０は、それぞれ個別のサーバである第１サーバ１４及び第２サーバ１６にそれぞれ備えられたものであったが、同一サーバに備えられたものであってもよい。このようにすれば、前記演奏曲データベース８８及びカラオケデータベース９０を一元管理することで利便性の高い通信カラオケシステム１０を実現できるという利点がある。また、これら演奏曲データベース８８及びカラオケデータベース９０の何れか一方が前記通信カラオケ装置１２に備えられたものであっても構わない。
【００５９】
また、前述の実施例では、前記ＣＤ２４に記憶された演奏曲に関する情報としてＴＯＣ（Table of Contents）情報を抽出し、そのＴＯＣ情報に基づいて演奏パッケージの照会を行うものであったが、例えば、前記抽出手段１１２は、ＦＰ（Finger Print）等の技術により前記演奏曲に含まれる波形の特徴情報をその演奏曲に関する情報として抽出するものであってもよい。斯かる態様では、ハードディスク、ＭＰ３プレイヤ、及びＵＳＢメモリ等、種々の記憶媒体に記憶された演奏曲からその特徴情報を抽出できるため、そのように様々な記憶媒体に記憶された演奏曲を入曲リクエストの対象とできるという利点がある。
【００６０】
その他、一々例示はしないが、本発明はその趣旨を逸脱しない範囲内において種々の変更が加えられて実施されるものである。
【図面の簡単な説明】
【００６１】
【図１】本発明の一実施例である通信カラオケシステムを説明する図である。
【図２】図１の通信カラオケシステムに備えられた通信カラオケ装置の構成を説明する図である。
【図３】図１の通信カラオケシステムに備えられた第１サーバの構成を説明する図である。
【図４】図１の通信カラオケシステムに備えられた第２サーバの構成を説明する図である。
【図５】図３の第１サーバに備えられた演奏曲データベースの内容を例示する図である。
【図６】図４の第２サーバに備えられたカラオケデータベースの内容を例示する図である。
【図７】図５の演奏曲データベースの記憶内容と図６のカラオケデータベースの記憶内容との関連付け情報を例示する図である。
【図８】図１の通信カラオケシステムに備えられたパーソナルコンピュータの構成を説明する図である。
【図９】図２の通信カラオケ装置のＣＰＵ及び図８のパーソナルコンピュータのＣＰＵに備えられた制御機能の要部を説明する機能ブロック線図である。
【図１０】図２の通信カラオケ装置により出力装置に、又は図８のパーソナルコンピュータの映像表示装置に表示される、ＣＤの照会結果とその照会結果に対応するカラオケ情報の有無を示す画面を例示する図である。
【図１１】図２の通信カラオケ装置のＣＰＵ又は図８のパーソナルコンピュータのＣＰＵによる入曲リクエスト制御について説明するフローチャートである。
【符号の説明】
【００６２】
１０：通信カラオケシステム
１２：通信カラオケ装置（通信端末装置）
１４：第１サーバ
１６：第２サーバ
１８：パーソナルコンピュータ（通信端末装置）
２０：通信回線
２４：ＣＤ（記憶媒体）
４０：ＣＤ読取部（読取手段）
８８：演奏曲データベース
９０：カラオケデータベース
１１２：抽出手段
１１４：照会手段
１１６：取得手段
１１８：送信手段
【図１】
2007078770.tif 000003
【図２】
2007078770.tif 000004
【図３】
2007078770.tif 000005
【図４】
2007078770.tif 000006
【図５】
2007078770.tif 000007
【図６】
2007078770.tif 000008
【図７】
2007078770.tif 000009
【図８】
2007078770.tif 000010
【図９】
2007078770.tif 000011
【図１０】
2007078770.tif 000012
【図１１】
2007078770.tif 000013